(57)【要約】  劣化したバッテリーを再生することができる鉛バッテリー再生装置を提供する。  鉛バッテリー再生装置は、廃棄判定部と、サルフェーション除去充電部と、放電部と、回数判定部と、充電部と、表示部とを有する。サルフェーション除去充電部は、バッテリー再生装置からバッテリーに対して、電流値４Ａ以上５Ａ以下の直流のベース電流と周波数９ｋＨｚ以上１１ｋＨｚ以下の方形波のパルス電流とを重畳させた充電電流を流すことにより、９分以上１１分以下の間でバッテリーの充電を行う。本実施例では、電流値４．２Ａの直流のベース電流と周波数１０ｋＨｚの方形波のパルス電流とを重畳させた充電電流を流すことにより、充電が連続して１０分経過するまで鉛バッテリー７の充電を行う。サルフェーション除去充電部は、このパルス電流による電気的振動を鉛バッテリー７に加えることにより、鉛バッテリー７の劣化原因であるサルフェーションを除去することができる。
2020065773.tif 000002
【特許請求の範囲】
【請求項１】
直流のベース電流と方形波のパルス電流とを重畳させた充電電流によりバッテリーの充電を行うサルフェーション除去充電手段と、
前記サルフェーション除去充電手段により充電したバッテリーの放電を行う放電手段と、
前記放電手段により放電したバッテリーの充電を行う充電手段と
を有する鉛バッテリー再生装置。
【請求項２】
パルス電流の周波数が９ｋＨｚ以上１１ｋＨｚ以下であることを特徴とする
請求項１に記載の鉛バッテリー再生装置。
【請求項３】
前記サルフェーション除去充電手段によるバッテリーの充電の回数と、前記放電手段によるバッテリーの放電の回数とに基づいて、バッテリーの充電の可否を判定する回数判定手段
をさらに有し、
前記充電手段は、前記回数判定手段による判定結果に基づいてバッテリーの充電を行う
請求項２に記載の鉛バッテリー再生装置。
【請求項４】
前記サルフェーション除去充電手段によるバッテリーの充電状況と、前記放電手段によるバッテリーの放電状況と、前記充電手段によるバッテリーの充電状況とのうち、少なくとも１つを表示する表示手段
をさらに有する
請求項３に記載の鉛バッテリー再生装置。
【請求項５】
前記サルフェーション除去充電手段により充電を行うバッテリーの電圧の電圧値に基づいてバッテリーを廃棄するか否かを判定する廃棄判定手段
をさらに有し、
前記サルフェーション除去充電手段は、前記廃棄判定手段による判定結果に基づいて、バッテリーの充電を行う
請求項４に記載の鉛バッテリー再生装置。
【請求項６】
直流のベース電流と方形波のパルス電流とを重畳させた充電電流によりバッテリーの充電を行うサルフェーション除去充電ステップと、
前記サルフェーション除去充電ステップにより充電したバッテリーの放電を行う放電ステップと、
前記放電ステップにより放電したバッテリーの充電を行う充電ステップと
を有する鉛バッテリーの再生方法。
【発明の詳細な説明】
【技術分野】
【０００１】
本発明は、鉛バッテリー再生装置、及び、鉛バッテリーの再生方法に関するものである。
【背景技術】
【０００２】
例えば、特許文献１には、バッテリーの充電を行うためのバッテリー充電手段と、バッテリーの放電を行うためのバッテリー放電手段と、バッテリーの全体の電圧、または、個々のセル電圧を監視するためのバッテリー電圧監視手段と、バッテリーの放電回数を監視するための放電回数監視手段とを備え、前記バッテリー再生器にバッテリーを接続して、前記バッテリー充電手段によってバッテリーの充電を行う充電モードと、前記バッテリー放電手段によってバッテリーの放電を行う放電モードとを繰り返し行うように構成するとともに、前記放電回数監視手段によって計数された放電回数が、予め設定された所定回数に達した場合に前記バッテリー再生器の動作を終了させるか、もしくは、前記放電モードにおいて、前記バッテリー電圧監視手段によって監視されているバッテリー全体の電圧が、予め設定された所定の放電終了電圧に達した場合、または、前記バッテリー電圧監視手段によって監視されている個々のセル電圧のうちいずれかが転極した場合に前記バッテリー再生器の動作を終了させるように構成することを特徴とするバッテリー再生器が開示されている。【０００３】
また、特許文献２には、充電器からの浮動充電電流と再生装置からの直流のベース電流、方形波のパルス電流とを重畳する充電電流を浮動充電方式によって稼働中の蓄電池に供給し、時系列的に採取する蓄電池の各セルの電圧データに基づいて蓄電池の再生処理の進行を監視することを特徴とする蓄電池の再生処理方法が開示されている。
【先行技術文献】
【特許文献】
【０００４】
【特許文献１】特開２００９−２８４５７１号公報
【特許文献２】特開２００７−８０５５２号公報
【発明の概要】
【発明が解決しようとする課題】
【０００５】
本発明は、効率的に劣化した鉛バッテリーを再生することができる鉛バッテリー再生装置を提供することを目的とする。
【課題を解決するための手段】
【０００６】
本発明に係る鉛バッテリー再生装置は、直流のベース電流と方形波のパルス電流とを重畳させた充電電流により鉛バッテリーの充電を行うサルフェーション除去充電手段と、前記サルフェーション除去充電手段により充電した鉛バッテリーの放電を行う放電手段と、前記放電手段により放電した鉛バッテリーの充電を行う充電手段とを有する。【０００７】
好適には、パルス電流の周波数が９ｋＨｚ以上１１ｋＨｚ以下であることを特徴とする。【０００８】
好適には、前記サルフェーション除去充電手段による鉛バッテリーの充電の回数と、前記放電手段による鉛バッテリーの放電の回数とに基づいて、鉛バッテリーの充電の可否を判定する回数判定手段をさらに有し、前記充電手段は、前記回数判定手段による判定結果に基づいて鉛バッテリーの充電を行う。【０００９】
好適には、前記サルフェーション除去充電手段による鉛バッテリーの充電状況と、前記放電手段による鉛バッテリーの放電状況と、前記充電手段による鉛バッテリーの充電状況とのうち、少なくとも１つを表示する表示手段をさらに有する。【００１０】
好適には、前記サルフェーション除去充電手段により充電を行う鉛バッテリーの電圧の電圧値に基づいて鉛バッテリーを廃棄するか否かを判定する廃棄判定手段をさらに有し、前記サルフェーション除去充電手段は、前記廃棄判定手段による判定結果に基づいて、鉛バッテリーの充電を行う。【００１１】
また、本発明に係る鉛バッテリーの再生方法は、直流のベース電流と方形波のパルス電流とを重畳させた充電電流により鉛バッテリーの充電を行うサルフェーション除去充電ステップと、前記サルフェーション除去充電ステップにより充電した鉛バッテリーの放電を行う放電ステップと、前記放電ステップにより放電した鉛バッテリーの充電を行う充電ステップとを有する。
【発明の効果】
【００１２】
本発明によれば、効率的に劣化した鉛バッテリーを再生することができる。
【図面の簡単な説明】
【００１３】
【図１】鉛バッテリー再生装置１０を説明する図である。
【図２】鉛バッテリー再生装置１０の機能構成を説明する図である。
【図３】タッチパネル２に表示される画面を例示する図である。
【図４】鉛バッテリーの再生処理方法（Ｓ１０）を説明するフローチャートである。
【発明を実施するための形態】
【００１４】
以下、本発明の実施形態を、図面を参照して説明する。
図１は、鉛バッテリー再生装置１０を説明する図である。
図１に例示するように、鉛バッテリー再生装置１０は、タッチパネル２、及び、配線４を有する。
鉛バッテリー再生装置１０は、劣化した鉛バッテリーを再生する装置である。ここで、劣化した鉛バッテリーとは、長期間充電と放電とを繰り返していくことにより、結晶化したサルフェーション（硫酸鉛）が硬質化し、硬質化したサルフェーションが電極板の表面に増殖していくことで充電効率が低下したバッテリーである。また、鉛バッテリーの再生とは、バッテリーの劣化原因であるサルフェーションを取り除くことにより、劣化した鉛バッテリーが新品とほぼ同等の性能に回復することをいう。なお、鉛バッテリー再生装置１０の形状は、特に限定するものではない。鉛バッテリー再生装置１０は、配線４を通して、鉛バッテリー７のプラス端子５、及び、マイナス端子６と、電気的に接続される。鉛バッテリー再生装置１０は、配線４を通して、鉛バッテリー７に対して充電を行う。また、鉛バッテリー再生装置１０は、配線４を通して、鉛バッテリー７を放電させる。
【００１５】
タッチパネル２は、例えば、鉛バッテリー再生装置１０の表示装置、及び、入力装置として機能するディスプレイである。タッチパネル２は、ソフトキーやメッセージなどを表示する。
【００１６】
配線４は、鉛バッテリー再生装置１０と、鉛バッテリー７のプラス端子５、及び、マイナス端子６と、電気的に接続するための配線である。
【００１７】
鉛バッテリー７は、例えば、充電式鉛蓄電池である。具体的には、鉛バッテリー７は、例えば、自動車のエンジンスターター用に使用されているオープンタイプ、メンテナンスフリータイプ、ＡＧＭ（Ａｂｓｏｒｂｅｄ  Ｇｌａｓｓ  Ｍａｔ）、ジェル方式等の種類のバッテリーである。また、鉛バッテリー７は、カルシウムバッテリー、シルバーバッテリー、ハイブリッドバッテリーであっても良い。鉛バッテリー７は、配線４を通して、鉛バッテリー再生装置１０と電気的に接続される。
【００１８】
図２は、鉛バッテリー再生装置１０の機能を説明する図である。
図２に例示するように、本例の鉛バッテリー再生装置１０は、廃棄判定部１０１と、サルフェーション除去充電部１０２と、放電部１０３と、回数判定部１０４と、充電部１０５と、表示部１０６とを有する。また、廃棄判定部１０１、サルフェーション除去充電部１０２、放電部１０３、回数判定部１０４、充電部１０５、及び、表示部１０６は、鉛バッテリー再生装置１０の内部に設けられた電気回路により実現される。
【００１９】
廃棄判定部１０１は、サルフェーション除去充電部１０２による充電前に、鉛バッテリー７の電圧の電圧値に基づいてバッテリーを廃棄するか否かを判定する。廃棄判定部１０１は、より好ましくは、鉛バッテリー７の電圧の電圧値が１０Ｖ以上１１Ｖ以下の電圧値以下である場合に、バッテリーを廃棄すると判定する。本実施例では、廃棄判定部１０１は、鉛バッテリー７の電圧の電圧値が１０．５Ｖ以下である場合に、バッテリーを廃棄すると判定する。これにより、ユーザは、サルフェーション除去充電部１０２による充電よりも前にバッテリーの廃棄を判断することができ、無駄な充電を省くことができる。
【００２０】
サルフェーション除去充電部１０２は、廃棄判定部１０１による判定結果に基づいて、鉛バッテリー再生装置１０から鉛バッテリー７に対して、電流値２Ａ以上２０Ａ以下の直流のベース電流と周波数９ｋＨｚ以上１１ｋＨｚ以下の方形波のパルス電流とを重畳させた充電電流を流すことにより、９分以上１１分以下の間で鉛バッテリー７の充電を行う。本実施例では、サルフェーション除去充電部１０２は、電流値４Ａ以上５Ａ以下、具体的には電流値４．２Ａの直流のベース電流と周波数１０ｋＨｚの方形波のパルス電流とを重畳させた充電電流を流すことにより、充電が連続して１０分経過するまで鉛バッテリー７の充電を行う。サルフェーション除去充電部１０２は、このパルス電流による電気的振動を鉛バッテリー７に加えることにより、鉛バッテリー７の劣化原因であるサルフェーションを除去することができる。
ただし、サルフェーション除去充電部１０２は、この充電開始前において、廃棄判定部１０１がバッテリーを廃棄すると判定した場合、充電は行わない。
【００２１】
放電部１０３は、鉛バッテリー７から鉛バッテリー再生装置１０に対して、サルフェーション除去充電部１０２により充電した鉛バッテリー７の電圧の電圧値が１６．３Ｖ以下となるまで、または、９分以上１１分以下の間の時間が経過するまで放電を行う。より好適には、放電部１０３は、鉛バッテリー７の電圧の電圧値が１２．８Ｖ以上１５．８Ｖ以下となるまで、または、放電が連続して９分以上１１分以下の間の時間が経過するまで放電を行う。本実施例では、サルフェーション除去部１０１は、鉛バッテリー７の電圧の電圧値が１２．８Ｖとなるまで、または、放電が連続して１０分経過するまで放電を行う。
【００２２】
ここで、サルフェーション除去充電部１０２、及び、放電部１０３は、このサルフェーション除去部１０１による充電、及び、放電部１０３による放電の間に、休止期間を設けることにより、鉛バッテリー７が充電、及び、放電で発生する熱により劣化することを防止することができる。
【００２３】
回数判定部１０４は、サルフェーション除去充電部１０２による充電、及び、放電部１０３による放電を１５回以下、より好ましくは９回以上１１回以下繰り返されたか否かを判定する。本実施例では、回数判定部１０４は、サルフェーション除去充電部１０２による充電、及び、放電部１０３による放電を１０回繰り返されたか否かを判定する。
ここで、サルフェーション除去の効果は、サルフェーション除去充電部１０２による充電、及び、放電部１０３による放電の繰り返しの回数に比例して高くなるものではない。充電、及び、放電を１２回以上繰り返しても、充電、及び、放電に要する時間の割には効果が見られず、また、８回以下ではバッテリーの劣化状態によってはサルフェーションを除去し切れない場合がある。
【００２４】
充電部１０５は、放電部１０３により放電した鉛バッテリー７に対して、鉛バッテリー７の電圧の電圧値が１６．３Ｖ以下となるまで、鉛バッテリー再生装置１０から鉛バッテリー７に対して、一定の電流（以下、定電流という）で鉛バッテリー７の充電を行う。定電流の電流値は、電流値２Ａ以上２０Ａ以下の範囲であり、再生する鉛バッテリー７の容量に応じて適宜選択される。本実施例の充電部１０５は、鉛バッテリー７の電圧の電圧値が１２．８Ｖ以上１５．８Ｖ以下となるまで、電流値４Ａ以上５Ａ以下の定電流で鉛バッテリー７の充電を行う。具体的には、充電部１０５は、鉛バッテリー７の電圧の電圧値が１２．８Ｖとなるまで、電流値４．２Ａの定電流で鉛バッテリー７の充電を行う。ただし、充電部１０５は、充電を行ってから６時間を経過した場合は、鉛バッテリー７の電圧の電圧値が１２．６Ｖ以上１６．３Ｖ以下とならなくても、鉛バッテリー７の充電を中止する。本実施例では、充電部１０５は、充電を行ってから６時間を経過した場合は、鉛バッテリー７の電圧の電圧値が１２．８Ｖとならなくても、鉛バッテリー７の充電を中止する。
【００２５】
また、この鉛バッテリー７の定電流充電後、充電部１０５は、鉛バッテリー再生装置１０から鉛バッテリー７に対して、１６．３Ｖ以下の一定の電圧値である電圧（以下、定電圧という）を維持するように鉛バッテリー再生装置１０から鉛バッテリー７に流れる電流の電流値を２Ａ以上２０Ａ以下の範囲内で既定の電流値から徐々に電流値を下げ、適正な電流値となるまで鉛バッテリー７の充電を行う。より好適には、充電部１０５は、１２．８Ｖ以上１５．８Ｖ以下の一定の電圧値を維持するように鉛バッテリー７の充電を行う。これにより、鉛バッテリー７におけるバッテリー液の比重（液中に含まれる希硫酸濃度）の値は１．２６以上まで上昇する。ここで、定電圧の電圧値が１６．３Ｖを超える場合、鉛バッテリー７が壊れる可能性がある。また、定電圧の電圧値が１２．６Ｖ未満である場合、鉛バッテリー７におけるバッテリー液の比重の値を上昇させる点で効率が悪い。本実施例では、充電部１０５は、１２．８Ｖの定電圧を維持するように鉛バッテリー７から鉛バッテリー再生装置１０に流れる電流の電流値が電流値４．２Ａから徐々に電流値を下げ、適正な電流値となるまで鉛バッテリー７の充電を行う。
【００２６】
表示部１０６は、廃棄判定部１０１、及び、充電部１０５の指示により、タッチパネル２に注意画面を表示させる。また、表示部１０６は、サルフェーション除去充電部１０２によるバッテリーの充電状況、及び、放電部１０３によるバッテリーの放電状況、並びに、充電部１０５による定電流充電、又は、定電圧充電の処理におけるバッテリーの充電状況のうち、少なくとも１つをタッチパネル２に画面表示させる。本実施例においては、表示部１０６は、サルフェーション除去充電部１０２による充電中、及び、放電部１０３による放電中は、バッテリーの充電状況、及び、バッテリーの放電状況をそれぞれタッチパネル２に表示させる。また、表示部１０６は、充電部１０５による定電流充電中、又は、定電圧充電中は、バッテリーの充電状況をタッチパネル２に表示させる。
【００２７】
図３は、本実施例において、タッチパネル２における表示画面を例示する図である。
図３（Ａ）は、サルフェーション除去充電部１０２による充電、及び、放電部１０３による放電中の鉛バッテリー再生装置１０のタッチパネル２における表示画面を例示する図である。また、図３（Ｂ）は一定の電流値での鉛バッテリー７の充電中における鉛バッテリー再生装置１０のタッチパネル２における表示画面を例示する図である。また、図３（Ｃ）は一定の電圧値での充電における鉛バッテリー再生装置１０のタッチパネル２における表示画面を例示する図である。
【００２８】
図３に例示するように、表示部１０６は、サルフェーション除去充電部１０２による充電中、及び、放電部１０３による放電中、並びに、充電部１０５による定電流、または、定電圧での充電中において、進捗状況をタッチパネル２に表示させる。より具体的には、サルフェーション除去充電部１０２による充電状況、及び、放電部１０３による放電状況、並びに、充電部１０５による定電流、または、定電圧での充電状況をタッチパネル２に表示させる。本実施例においては、表示部１０６は、表示領域２０と、表示領域２１と、表示領域２２と、運転起動ボタン領域２３と、一時停止ボタン領域２４とをタッチパネル２に表示させる。
【００２９】
運転起動ボタン領域２３、及び、一時停止ボタン領域２４は、ユーザが直接触れることにより、鉛バッテリー再生装置１０の運転の起動、又は、一時停止をすることができる。また、表示領域２０、表示領域２１、及び、表示領域２２は、表示のみ可能な領域である。
【００３０】
表示領域２０は、画面の名称を表示させるための領域である。本実施例においては、領域２０は、「運転モニター画面」と表示される。
【００３１】
表示領域２１は、鉛バッテリー再生装置１０における運転の動作状況を表示させるための領域である。
表示領域２１は、例えば、ステータス表示、充電、及び、放電の残回数、充電の合計時間、放電の合計時間、定電流充電における経過時間表示、定電圧充電における経過時間表示、並びに、進捗状況を示すプログレスバーが表示される。
【００３２】
表示領域２２は、鉛バッテリー再生装置１０、又は、鉛バッテリー７における電流値、及び、電圧値を表示させるための領域である。
【００３３】
運転起動ボタン領域２３は、運転起動ボタンを表示させるための領域である。運転起動ボタンは、鉛バッテリー再生装置１０の運転を起動させることを指示するためのボタンである。
【００３４】
一時停止ボタン領域２４は、一時停止ボタンを表示させるための領域である。一時停止ボタンは、鉛バッテリー再生装置１０の運転を一時停止させることを指示するためのボタンである。
【００３５】
タッチパネル２の表示領域２１、及び、表示領域２２は、サルフェーション除去部１０１が鉛バッテリー７の充電、及び、放電を繰り返している場合、本実施例においては、図３（Ａ）に例示するように表示される。
この場合、表示領域２１は、ステータス表示と、充電、及び、放電の残回数と、充電の合計時間と、放電の合計時間とが表示される。ステータス表示とは、例えば、「充放電中」という表示内容である。残回数の表示とは、例えば、充電、及び、放電がそれぞれ２回繰り返し、残りの回数がそれぞれ８回である場合、「残回数：８」という表示内容である。充電の合計時間表示とは、例えば、充電の合計時間が２５分である場合、「充電中２５ｍｉｎ」という表示内容である。放電の合計時間の表示とは、例えば、放電の合計時間が１５分である場合、「放電中１５ｍｉｎ」という表示内容である。これにより、ユーザは、サルフェーション除去部１０１における充放電の進捗状況を視覚的に把握できる。
また、表示領域２２は、鉛バッテリー７における電圧の目標の電圧値と、鉛バッテリー再生装置１０における充電電流のベース電流の電流値とが表示される。鉛バッテリー７における電圧の目標の電圧値とは、例えば、鉛バッテリー７における電圧の電圧値が１２．８Ｖ以下となるまで放電をする場合、「電圧１２．８Ｖ」という表示内容である。充電電流のベース電流の電流値とは、例えば、充電電流のベース電流の電流値が４．２Ａで鉛バッテリー７を充電している場合、「電流４．２Ａ」という表示内容である。
【００３６】
表示領域２１、及び、表示領域２２は、充電部１０５が鉛バッテリー７を定電流で充電している場合、本実施例においては、図３（Ｂ）に例示するように表示される。
この場合、表示領域２１は、ステータス表示と、定電流充電における経過時間表示と、進捗状況を示すプログレスバーとが表示される。ステータス表示とは、例えば、「定電流充電中」という表示内容である。経過時間表示とは、例えば、定電流充電が１時間１５分を経過している場合、「経過時間１ｈ１５ｍｉｎ」という表示内容である。プログレスバーとは、例えば、定電流充電の最大充電時間である６時間に対して何％経過しているかを示す表示内容である。これにより、ユーザは、定電流充電が全体のうち何％程度進んだかを視覚的に把握することができる。
また、表示領域２２は、鉛バッテリー７における電圧の目標の電圧値と、鉛バッテリー７に対する定電流充電における電流値とが表示される。鉛バッテリー７における電圧の目標の電圧値とは、例えば、４．２Ａの定電流で鉛バッテリー７を充電する場合、「電流４．２Ａ」という表示内容である。また、鉛バッテリー７に対する定電流充電における電流値とは、例えば、定電流充電を始めてから６時間を経過するか、または、鉛バッテリー７における電圧の電圧値が１２．８Ｖ以上となるまで、鉛バッテリー７を充電する場合、「電圧１２．８Ｖ」という表示内容である。
【００３７】
タッチパネル２の表示領域２１、及び、表示領域２２は、充電部１０５が鉛バッテリー７を定電圧で充電している場合、本実施例においては、図３（Ｃ）に例示するように表示される。
この場合、表示領域２１は、ステータス表示と、定電圧充電における経過時間表示と、進捗状況を示すプログレスバーが表示される。ステータス表示とは、例えば、「定電圧充電中」という表示内容である。経過時間表示とは、例えば、定電圧充電が１時間１５分を経過している場合、「経過時間１ｈ１５ｍｉｎ」という表示内容である。プログレスバーとは、定電圧充電の最大充電時間である５時間に対して何％経過しているかを示す進捗状況を表示内容である。これにより、ユーザは、定電圧充電が全体のうち何％程度進んだかを視覚的に把握することができる。
また、表示領域２２は、鉛バッテリー７に対する定電圧充電における電圧値と、鉛バッテリー７に対する定電圧充電の初期の電流値とが表示される。鉛バッテリー７に対する定電圧充電における電圧値は、例えば、鉛バッテリー７を１２．８Ｖの定電圧で鉛バッテリー７を充電する場合、「電圧１２．８Ｖ」という表示内容である。鉛バッテリー７に対する定電圧充電の初期の電流値は、例えば、初期の電流値４．２Ａで、鉛バッテリー７を充電する場合、「電流４．２Ａ」という表示内容である。
【００３８】
図４は、鉛バッテリー再生装置１０におけるバッテリーの再生処理（Ｓ１０）を説明するフローチャートである。なお、本フローチャートの処理は、ユーザが、タッチパネル２の運転起動ボタン領域２３の運転起動ボタンをタッチし、鉛バッテリー再生装置１０の運転をさせることにより、開始される。
図４に例示するように、ステップ１００（Ｓ１００）において、鉛バッテリー再生装置１０における廃棄判定部１０１は、鉛バッテリー７の電圧の電圧値が１０．５Ｖより大きいか否かを判定する。鉛バッテリー７の電圧の電圧値が１０．５Ｖより大きい場合（Ｓ１１０：Ｙｅｓ）にバッテリーの再生処理（Ｓ１０）は、Ｓ１１０に移行し、鉛バッテリー７の電圧の電圧値が１０．５Ｖ以下である場合（Ｓ１１０：Ｎｏ）に、バッテリー再生処理（Ｓ１０）は、Ｓ１０５に移行する。
【００３９】
ステップ１０５（Ｓ１０５）において、表示部１０６は、鉛バッテリー７の電圧の電圧値が１０．５Ｖ以下のため、バッテリーを再生できない旨の注意画面をタッチパネル２に表示させる。これにより、ユーザは、鉛バッテリー７が再生できないと判断し、鉛バッテリー７を廃棄することができる。
【００４０】
ステップ１１０（Ｓ１１０）において、鉛バッテリー再生装置１０におけるサルフェーション除去充電部１０２は、鉛バッテリー再生装置１０から鉛バッテリー７に対して、直流のベース電流と周波数１０ｋＨｚの方形波のパルス電流とを重畳させた充電電流を鉛バッテリー７に流し、１０分間充電をする。
【００４１】
ステップ１１５（Ｓ１１５）において、放電部１０３は、鉛バッテリー７から鉛バッテリー再生装置１０に対して放電を行う。
【００４２】
ステップ１２０（Ｓ１２０）において、放電部１０３は、１０分間以上放電しているか否か、または、鉛バッテリー７の電圧の電圧値が１２．８Ｖ以下か否かの判定をする。１０分間以上放電している場合、または、鉛バッテリー７の電圧の電圧値が１２．８Ｖ以下である場合（Ｓ１２０：Ｙｅｓ）に、バッテリーの再生処理（Ｓ１０）は、Ｓ１２５に移行し、放電が１０分間未満であり、かつ、鉛バッテリー７の電圧の電圧値が１２．８Ｖより大きい場合（Ｓ１２０：Ｎｏ）に、バッテリー再生処理（Ｓ１０）は、Ｓ１１５に移行する。
【００４３】
ステップ１２５（Ｓ１２５）において、回数判定部１０４は、サルフェーション除去部１０２による充電、及び、放電部１０３による放電の回数がそれぞれ１０回に達したか否かを判定する。サルフェーション除去部１０２による充電、及び、放電部１０３による放電の回数がそれぞれ１０回に達した場合（Ｓ１２５：Ｙｅｓ）にバッテリーの再生処理（Ｓ１０）は、Ｓ１３０に移行し、サルフェーション除去部１０２による充電、及び、放電部１０３による放電の回数がそれぞれ１０回に達していない場合（Ｓ１２５：Ｎｏ）に、バッテリー再生処理（Ｓ１０）は、Ｓ１１０に移行する。
【００４４】
ステップ１３０（Ｓ１３０）において、充電部１０５は、鉛バッテリー再生装置１０から鉛バッテリー７に対して、電流値４．２Ａの定電流で鉛バッテリー７の充電を行う。
【００４５】
ステップ１３５（Ｓ１２０）において、充電部１０５は、鉛バッテリー７の電圧の電圧値が１２．８Ｖ以上か否か、又は、定電流充電時間が６時間を超えているか否かを判定する。鉛バッテリー７の電圧の電圧値が１２．８Ｖ以上である場合、または、定電流充電時間が６時間を超えている場合（Ｓ１３５：Ｙｅｓ）にバッテリーの再生処理（Ｓ１０）は、Ｓ１４０に移行し、鉛バッテリー７の電圧の電圧値が１２．８Ｖ未満であり、かつ、定電流充電時間が６時間未満である場合（Ｓ１３５：Ｎｏ）にバッテリーの再生処理（Ｓ１０）は、Ｓ１３０に移行する。
【００４６】
ステップ１４０（Ｓ１４０）において、充電部１０５は、定電流充電時間が６時間以内か否かを判定する。定電流充電時間が６時間を超えている場合（Ｓ１２５：Ｙｅｓ）に、バッテリーの再生処理（Ｓ１０）は、Ｓ１４５に移行し、定電流充電時間が６時間以内である場合（Ｓ１５０：Ｎｏ）に、バッテリーの再生処理（Ｓ１０）は、Ｓ１５０に移行する。
【００４７】
ステップ１４５（Ｓ１４５）において、表示部１０６は、タッチパネル２に、バッテリー不良の可能性があり、バッテリーの状態をチェックする必要がある旨の注意画面を表示させる。これにより、ユーザは、鉛バッテリー７の接続方法に不備があるか否か、鉛バッテリー７の種類が適合外であるか否かのチェックを行う。ユーザは、バッテリーの接続方法に不備が無い場合、及び、バッテリーの種類の適合外も無い場合には、バッテリー不良であると判断し、鉛バッテリー７を廃棄することができる。
【００４８】
ステップ１５０（Ｓ１５０）において、充電部１０５は、鉛バッテリー再生装置１０から鉛バッテリー７に対して、電圧値１２．８Ｖの一定の電圧を維持するように鉛バッテリー７の充電を行う。
【００４９】
ステップ１５５（Ｓ１５５）において、充電部１０５は、鉛バッテリー７から鉛バッテリー再生装置１０に流れる電流の電流値が適正な電流値であるか否か、又は、定電圧充電時間が５時間以上か否かを判定する。鉛バッテリー７から鉛バッテリー再生装置１０に流れる電流値が適正な電流値以下、又は、定電圧充電時間が５時間以上である場合（Ｓ１５５：Ｙｅｓ）に、バッテリーの再生処理（Ｓ１０）は、Ｓ１６０に移行し、鉛バッテリー７から鉛バッテリー再生装置１０に流れる電流の電流値が適正な電流値より大きく、かつ、定電圧充電時間が５時間未満である場合（Ｓ１５５：Ｎｏ）に、バッテリーの再生処理（Ｓ１０）は、Ｓ１５０に移行する。
【００５０】
ステップ１６０（Ｓ１６０）において、充電部１０５は、定電圧充電時間が５時間以内か否かを判定する。定電圧充電時間が５時間以内である場合（Ｓ１６０：Ｙｅｓ）に、バッテリーの再生処理（Ｓ１０）は終了し、定電圧充電時間が５時間を超えている場合（Ｓ１６０：Ｎｏ）に、バッテリーの再生処理（Ｓ１０）は、Ｓ１６５に移行する。
【００５１】
ステップ１６５（Ｓ１６５）において、表示部１０６は、タッチパネル２に、バッテリー不良の可能性があり、バッテリーの状態をチェックする必要がある旨の注意画面を表示させる。
【００５２】
以上説明したように、本実施例の鉛バッテリー再生装置１０は、劣化したバッテリーに対して、サルフェーション除去によるバッテリーの再生からバッテリーの充電までを連続して行うことにより、バッテリーの再生、及び、バッテリーの充電を容易に行うことができる。
また、ユーザが、バッテリーのサルフェーション除去中、及び、充電中に、それらの進捗状況を把握することができる。
以上、本発明に係る実施形態について説明したが、これらの実施形態に限定されるものではなく、発明の趣旨を逸脱しない範囲内において、種々の変更、追加等が可能である。
【符号の説明】
【００５３】
１          本体
２          表示部
３          電源スイッチ
４          配線
５          プラス端子
６          マイナス端子
７          鉛バッテリー
１０        鉛バッテリー再生装置
１０１      廃棄判定部
１０２      サルフェーション除去充電部
１０３      放電部
１０４      回数判定部
１０５      充電部
１０６      表示部
【図１】
2020065773.tif 000003
【図２】
2020065773.tif 000004
【図３】
2020065773.tif 000005
【図４】
2020065773.tif 000006
【国際調査報告】
2020065773.tif 000007
2020065773.tif 000008
2020065773.tif 000009
2020065773.tif 000010